(57)【特許請求の範囲】
【請求項１】
前方に開口部を有する躯体に対し引出しが前記開口部からスライドして後方に収納される引出しのスライド構造であって、
前記引出しに一体的に形成された第１係合部と、
前記躯体に一体的に形成され、前記第１係合部と係合して前記引出しを前後方向にスライド自在に支持する第２係合部と、
前記躯体に一体的に形成され、前記引出しが変形して前記第１係合部と前記第２係合部との係合が解除されることを規制する係合解除規制部とを備えており、
前記躯体は、矩形状の天板部と、この天板部の左右両側縁からそれぞれ略直角に垂下する左右２つの側板部とを有し、下方に開放された形状になっており、
前記引出しは、前記躯体の天板部に対応した大きさの矩形状の底壁部と、この底壁部の左右両側縁からそれぞれ略直角に立ち起こしてなる左右２つの側壁部とを有しており、
前記第１係合部は、前記底壁部の左右の側縁部であり、
前記第２係合部は、前記各側板部にそれぞれ当該側板部の内側に突出して形成された複数の突起部からなり、この複数の突起部は、前後方向に所定間隔毎に形成されていることを特徴とする引出しのスライド構造。
【請求項２】
前方に開口部を有する躯体に対し引出しが前記開口部からスライドして後方に収納される引出しのスライド構造であって、
前記引出しに一体的に形成された第１係合部と、
前記躯体に一体的に形成され、前記第１係合部と係合して前記引出しを前後方向にスライド自在に支持する第２係合部と、
前記躯体に一体的に形成され、前記引出しが変形して前記第１係合部と前記第２係合部との係合が解除されることを規制する係合解除規制部とを備えており、
前記躯体は、矩形状の天板部と、この天板部の左右両側縁からそれぞれ略直角に垂下する左右２つの側板部とを有し、下方に開放された形状になっており、
前記引出しは、前記躯体の天板部に対応した大きさの矩形状の底壁部と、この底壁部の左右両側縁からそれぞれ略直角に立ち起こしてなる左右２つの側壁部とを有しており、
前記第１係合部は、前記各側壁部にそれぞれ形成された前後方向に延びる段差部であり、この段差部は、前記底壁部に近い側が遠い側よりも当該側壁部の内側に寄った形状のものであり、
前記第２係合部は、前記各側板部にそれぞれ当該側板部の内側に突出して形成された複数の突起部からなり、この複数の突起部は、前後方向に所定間隔毎に形成されていることを特徴とする引出しのスライド構造。
【請求項３】
前記係合解除規制部は、前記天板部の前記各側板部に近接した位置にそれぞれ下方に突出して形成された突起部であって、前記引出しの変形として前記各側壁部の上端が当該側壁部の内側に撓むのを規制することで前記第１係合部と前記第２係合部との係合が解除されることを規制するものである請求項１又は２記載の引出しのスライド構造。
【発明の詳細な説明】
【技術分野】
【０００１】
本発明は、ガスコンロなどの調理器に装備される引出しのスライド構造に関する。
【背景技術】
【０００２】
従来、この種の引出しのスライド構造として、例えば特許文献１に記載されているように、キャビネットと引出しとの間に、複数のレールとボールなどの転動部材とからなるプッシュ式スライドレールを設けたものが知られている。
【先行技術文献】
【特許文献】
【０００３】
【特許文献１】特開２００９−１１４０４号公報
【発明の概要】
【発明が解決しようとする課題】
【０００４】
ところで、ガスコンロなどの調理器においては、通常、その内部に制御基板などの電子部品が配置されている。この電子部品を調理器の内部に配置する場合、電子部品を保護しかつそのメンテナンス時の作業を容易にするために、電子部品を収納するための引出しを装備することが考えられる。
【０００５】
しかし、この引出しのスライド構造として、従来の如きプッシュ式スライドレールを用いた場合には、部品点数や製造工数が増加し、それに伴い製造コストが高くなるという問題がある。
【０００６】
本発明はかかる点に鑑みてなされたものであり、その課題は、調理器の内部に、電子部品を収納するための引出しを装備する当たり、引出しが躯体（キャビネット）に対し、スライド可能に確実に支持され、しかも、構造が簡単で製造コストの低減化を図り得る引出しのスライド構造を提供することにある。
【課題を解決するための手段】
【０００７】
前記の課題を解決するため、本発明は、前方に開口部を有する躯体に対し引出しが前記開口部からスライドして後方に収納される引出しのスライド構造として、前記引出しに一体的に形成された第１係合部と、前記躯体に一体的に形成され、前記第１係合部と係合して前記引出しを前後方向にスライド自在に支持する第２係合部と、前記躯体に一体的に形成され、前記引出しが変形して前記第１係合部と前記第２係合部との係合が解除されることを規制する係合解除規制部とを備える構成にする。
【０００８】
この構成では、引出しに一体的に形成された第１係合部と躯体に一体的に形成された第２係合部とが係合することにより、引出しが躯体に支持された状態で前後方向にスライドすることになる。また、引出しの変形による第１係合部と第２係合部との係合の解除は、躯体に一体的に形成された係合解除規制部によって規制されるため、引出しが躯体に対し確実に支持されることになる。その上、構造が簡単であり、部品点数や製造工数も少なく済むため、製造コストを低減することができる。
【０００９】
ここで、前記躯体は、矩形状の天板部と、この天板部の左右両側縁からそれぞれ略直角に垂下する左右２つの側板部とを有し、下方に開放された形状になっていることが好ましい。この場合、躯体が前方に開口部を有する矩形箱状のものである場合に比べて躯体の軽量化、ひいては引出しのスライド構造全体としての軽量化を図ることができる。
【００１０】
また、前記引出しは、前記躯体の天板部に対応した大きさの矩形状の底壁部と、この底壁部の左右両側縁からそれぞれ略直角に立ち起こしてなる左右２つの側壁部とを有していることが好ましい。この場合、引出しが上方に開口部を有する矩形箱状のものである場合に比べて引出しの軽量化、ひいては引出しのスライド構造全体としての軽量化をより図ることができる。
【００１１】
前記第１係合部及び前記第２係合部の１つの具体的な形態は、以下の通りである。すなわち、前記第１係合部は、前記底壁部の左右の側縁部である。また、前記第２係合部は、前記各側板部にそれぞれ当該側板部の内側に突出して形成された複数の突起部からなり、この複数の突起部は、前後方向に所定間隔毎に形成される構成にする。この場合、特に、第１係合部が単に底壁部の左右の側縁部からなる簡単なものであるため、製造コストの低減化を一層図ることができる。
【００１２】
前記第１係合部及び前記第２係合部の別の具体的な形態は、以下の通りである。すなわち、前記第１係合部は、前記各側壁部にそれぞれ形成された前後方向に延びる段差部であり、この段差部は、前記底壁部に近い側が遠い側よりも当該側壁部の内側に寄った形状のものである。また、前記第２係合部は、前記各側板部にそれぞれ当該側板部の内側に突出して形成された複数の突起部からなり、この複数の突起部は、前後方向に所定間隔毎に形成される構成にする。この場合、引出しの各側壁部における段差部の位置を上下方向に変更することで躯体の各側板部における第２係合部の位置を上下方向に変更することができるので、設計の自由度を高めることができる。
【００１３】
さらに、前記係合解除規制部の具体的な形態は、以下の通りである。すなわち、前記係合解除規制部は、前記天板部の前記各側板部に近接した位置にそれぞれ下方に突出して形成された突起部であって、前記引出しの変形として前記各側壁部の上端が当該側壁部の内側に撓むのを規制することで前記第１係合部と前記第２係合部との係合が解除されることを規制するものである。
【発明の効果】
【００１４】
本発明における引出しのスライド構造によれば、引出しが躯体に対しスライド可能にかつ確実に支持される上、構造が簡単であり、部品点数や製造工数が少なく済むため、製造コストを実施上有効に低減することができる。
【図面の簡単な説明】
【００１５】
【図１】図１Ａは本発明の第１の実施形態に係る引出しを躯体に収納した状態の斜視図、図１Ｂは同じく右側面図である。
【図２】図２Ａは同じく平面図、図２Ｂは同じく正面図、図２Ｃは図２ＡのＸ−Ｘ線における断面図である。
【図３】図３Ａは前記引出しを躯体から前方に引き出して取り外した状態の斜視図、図３Ｂは同じく右側面図である。
【図４】図４は同じく平面図である。
【図５】図５Ａは第２の実施形態を示す図１Ａ相当図であり、図５Ｂは図１Ｂ相当図である。
【図６】図６Ａは図２Ａ相当図、図６Ｂは図２Ｂ相当図、図６Ｃは図６ＡのＹ−Ｙ線における断面図である。
【図７】図７Ａは図３Ａ相当図、図７Ｂは図３Ｂ相当図である。
【図８】図８は図４相当図である。
【発明を実施するための形態】
【００１６】
以下、本発明を実施するための形態である実施形態を図面に基づいて説明する。
【００１７】
図１ないし図４は本発明の第１の実施形態に係る引出しのスライド構造を示す。図１ないし図４において、１は前方に開口部２を有する躯体、３は躯体１に対しその開口部２からスライドして後方に収納される引出しである。躯体１及び引出し３は、ガスコンロなどの調理器の内部に制御基板などの電子部品を配置するために装備されるものであり、躯体１は、調理器のケース内面などに固定される。
【００１８】
躯体１は、ステンレス鋼などの金属からなる。また、躯体１は、矩形状の天板部１１と、天板部１１の左右両側縁からそれぞれ略直角に垂下する左右２つの側板部１２，１３と、天板部１１の後縁から略直角に垂下する背板部１４とを有し、下方に開放された形状になっている。つまり、躯体１は、底板部を有しない構成になっている。
【００１９】
引出し３は、躯体１と同じくステンレス鋼などの金属からなる。また、引出し３は、躯体１の天板部１１に対応した大きさ（より詳しくは天板部１１よりも一回り小さい大きさ）の矩形状の底壁部３１と、底壁部３１の左右両側縁からそれぞれ略直角に立ち起こしてなる左右２つの側壁部３２，３３と、底壁部３１の前縁から略直角に立ち起こしてなる前壁部３４とを有し、後壁部を有しない構成になっている。
【００２０】
そして、引出し３のスライド構造は、躯体１及び引出し３の外に、引出し３に一体的に形成された第１係合部４１と、躯体１に一体的に形成された第２係合部４２とを備えている。第２係合部４２は、第１係合部４１と係合して引出し３を前後方向にスライド自在に支持するものである。引出し３のスライド構造は、更に、躯体１に一体的に形成された係合解除規制部４３を備えている。係合解除規制部４３は、引出し３がその底壁部３１上に載置した制御基板などの電子部品の質量などにより撓み変形して第１係合部４１と第２係合部４２との係合が解除されることを規制するものである。
【００２１】
第１係合部４１は、引出し３の各側壁部３２，３３にそれぞれ形成された前後方向に延びる段差部であり、この段差部（第１係合部４１）は、底壁部３１に近い側（側壁部３２，３３の下部側）が遠い側（側壁部３２，３３の上部側）よりも当該側壁部３２，３３の内側に寄った形状のものである。
【００２２】
第２係合部４２は、躯体１の各側板部１２，１３にそれぞれ当該側板部１２，１３の内側に突出して形成された複数（図では２つ）の半球状の突起部４２ａ，４２ｂからなる。複数の突起部４２ａ，４２ｂは、前後方向に所定間隔毎に形成されている。
【００２３】
引出し３が躯体１の開口部２から躯体１内に収納されたときには、図１及び図２に示すように、引出し３の各側壁部３２，３３の段差部４１が複数の突起部４２ａ，４２ｂにスライド自在に支持されている。また、引出し３の各側壁部３２，３３の段差位置より上側部分は、それぞれ躯体１の対応する側板部１２，１３の内側に接触又は近接し、引出し３の各側壁部３２，３３の上端は、それぞれ躯体１の天板部１１の側板部１２，１３に近接した位置に接触又は近接するようになっている。
【００２４】
係合解除規制部４３は、躯体１の天板部１１の各側板部１２，１３に近接した位置にそれぞれ下方に突出して形成された突起部であって、この突起部（係合解除規制部４３）は、軸方向を左右方向とする略半円筒状に形成されている。そして、係合解除規制部４３は、引出し３の撓み変形として各側壁部３２，３３の上端が当該側壁部３２，３３の内側に撓むのを規制することで第１係合部４１と第２係合部４２との係合が解除されることを規制するものである。
【００２５】
以上説明したように、引出し３のスライド構造は、引出し３に一体的に形成された第１係合部４１と、躯体１に一体的に形成された第２係合部４２とを備え、第１係合部４１と第２係合部４２とが係合することにより、引出し３を躯体１に対し前後方向にスライド可能に支持させることができる。しかも、引出し３の撓み変形による第１係合部４１と第２係合部４２との係合の解除が躯体１に一体的に形成された係合解除規制部４３により規制されるため、引出し３を躯体１に対し確実に支持させることができる。その上、構造が簡単であり、部品点数や製造工数も少なく済むため、製造コストを有効に低減することができる。
【００２６】
特に、本実施形態では、躯体１は、天板部１１と左右の側板部１２，１３と背板部１４を有するが、底板部を有しない構成になっている。このため、躯体が前方に開口部を有する矩形箱状のものである場合に比べて躯体１の軽量化、ひいては引出し３のスライド構造全体としての軽量化を図ることができる。
【００２７】
また、引出し３は、底壁部３１と左右の側壁部３２，３３と前壁部３４とを有するが、後壁部を有しない構成になっている。このため、引出しが上方に開口部を有する矩形箱状のものである場合に比べて引出し３の軽量化、ひいては引出し３のスライド構造全体としての軽量化をより図ることができる。
【００２８】
更に、第１係合部４１は、引出し３の各側壁部３２，３３にそれぞれ形成された前後方向に延びる段差部であり、この段差部は、底壁部３１に近い側が遠い側よりも当該側壁部３２，３３の内側に寄った形状のものである。また、第２係合部４２は、躯体１の各側板部１２，１３にそれぞれ当該側板部１２，１３の内側に突出して形成された複数の突起部４２ａ，４２ｂからなり、この複数の突起部４２ａ，４２ｂは、前後方向に所定間隔毎に形成されている。この構成の場合、引出し３の各側壁部３２，３３における段差部４１の位置を上下方向に変更することで躯体１の各側板部１２，１３における第２係合部４２の位置を上下方向に変更することができるので、設計の自由度を高めることができる。
【００２９】
図５ないし図８は本発明の第２の実施形態に係る引出しのスライド構造を示す。この第２の実施形態では、躯体１の構成及び躯体１にそれぞれ一体的に形成された第２係合部４２及び係合解除規制部４３は、第１の実施形態の場合と同じであり、同一の部位には同一符号を付してその説明は省略する。第２の実施形態において、第１の実施形態の場合と異なる点は、引出し５の構成及び引出し５に一体的に形成された第１係合部６１である。
【００３０】
すなわち、引出し５は、第１の実施形態の場合のそれと同じく、底壁部５１と左右の側壁部５２，５３と前壁部５４とを有し、後壁部を有しない構成になっているが、各側壁部５２，５３及び前壁部５４の高さ寸法は、第２の実施形態の場合のそれよりも小さく設定されている。
【００３１】
また、第１係合部６１は、第１の実施形態の場合の如き段差部ではなく、引出し５の底壁部５１の左右の側縁部である。
【００３２】
引出し５が躯体１の開口部２から躯体１内に収納されたときには、図５及び図６に示すように、引出し５の底壁部５１の各側縁部である第１係合部６１が複数の突起部４２ａ，４２ｂにスライド自在に支持されている。また、引出し５の各側壁部５２，５３は、それぞれ躯体１の対応する側板部１２，１３の内側に接触又は近接し、引出し５の各側壁部５２，５３の上端は、それぞれ躯体１の天板部１１の側板部１２，１３に近接した位置に接触又は近接するようになっている。
【００３３】
そして、第２の実施形態においても、第１の実施形態の場合と同様に、引出し５のスライド構造は、引出し５に一体的に形成された第１係合部６１と、躯体１に一体的に形成された第２係合部４２とを備え、第１係合部６１と第２係合部４２とが係合することにより、引出し５を躯体１に対し前後方向にスライド可能に支持させることができるなどの効果を奏する。
【００３４】
特に、本実施形態では、第１係合部６１は、引出し５の底壁部５１の左右の側縁部である。また、第２係合部４２は、躯体１の各側板部１２，１３にそれぞれ当該側板部１２，１３の内側に突出して形成された複数の突起部４２ａ，４２ｂからなり、この複数の突起部４２ａ，４２ｂは、前後方向に所定間隔毎に形成されている。この構成の場合、特に、第１係合部６１が単に引出し５の底壁部５１の左右の側縁部からなる簡単なものであるため、製造コストの低減化を一層図ることができる。
【００３５】
尚、本発明は前記第１及び第２の実施形態に限定されるものではなく、その他種々の形態を包含するものである。例えば前記各実施形態では、躯体１の構成として、いずれも天板部１１と左右の側板部１２，１３と背板部１４とを有し、底板部を有しない構成にしたが、本発明は、躯体１の軽量化、ひいては引出しのスライド構造全体としての軽量化を一層図る観点から、天板部１１と左右の側板部１２，１３とを有するだけの構成にしても良い。
【００３６】
また、前記各実施形態では、引出し３，５の構成として、いずれも底壁部３１，５１と左右の側壁部３２，３３又は５２，５３と前壁部３４，５４とを有する構成にしたが、本発明は、引出しの軽量化、ひいては引出しのスライド構造全体としての軽量化を一層図る観点から、底壁部と左右の側壁部とを有するだけの構成にしたり、底壁部のみを有する構成にしたりしても良い。
【００３７】
さらに、前記第１の実施形態では、引出し３の各側壁部３２，３３に段差部からなる第１係合部４１を、躯体１の各側板部１２，１３に複数の突起部４２ａ，４２ｂからなる第２係合部４２をそれぞれ一体的に形成したが、本発明は、逆に、引出し３の各側壁部３２，３３に複数の突起部からなる第１係合部を、躯体１の各側板部１２，１３に段差部からなる第２係合部をそれぞれ一体的に形成するようにしても良い。
【符号の説明】
【００３８】
１    躯体
２    開口部
３，５    引出し
１１    天板部
１２，１３    側板部
３１，５１    底壁部
３２，３３，５２，５３    側壁部
４１    第１係合部（段差部）
４２    第２係合部
４２ａ，４２ｂ    突起部
４３    係合解除規制部（突起部）
６１    第１係合部
【図１】
0006501352.tif 000002
【図２】
0006501352.tif 000003
【図３】
0006501352.tif 000004
【図４】
0006501352.tif 000005
【図５】
0006501352.tif 000006
【図６】
0006501352.tif 000007
【図７】
0006501352.tif 000008
【図８】
0006501352.tif 000009